(57)【要約】      （修正有）【課題】多孔質体であるセラミック粒の微細孔に吸着された臭気成分を酸化触媒により効率的に分解・消臭して、該微細孔への臭気成分の蓄積による消臭作用低下又は飽和を防止し、消臭効果に即効性があり、該効果を長期間維持可能にした家具用消臭器を提供する。【解決手段】直径約４ｍｍのほぼ球形状の消臭用セラミック粒１は、ゼオライトと粘土を所要割合で配合し混合したものを焼成して造粒したセラミック粒１０を有する。該セラミック粒１０は表面に連続した微細孔を有する多孔質体であり、その表面は酸化触媒である酸化触媒粒１１の微粒子が担持され、その量は消臭用セラミック粒１全体に対し約１０重量％である。家具用消臭器は、直方体形状の合成樹脂製の中空容器内部に所要量の消臭用セラミック粒１を収容したものであり、その構成板にやぐら炬燵へ取り付けるための両面テープが設けてある。【選択図】図１
0003145246.tif 000002
【実用新案登録請求の範囲】
【請求項１】
アンモニア、ホルムアルデヒド、イソ吉草酸に対して消臭効果を有するほぼ球形状の消臭用セラミック粒(1)を使用して、常態で内部が暗くなる家具の内部にこもる臭気を消臭する家具用消臭器であって、
微細孔を多数有する粒径３〜５ｍｍのセラミック粒(10)の表面の前記微細孔に酸化触媒(11)の微粒子が入るようにして担持されている消臭用セラミック粒(1)が使用され、酸化触媒(11)の担持量は消臭用セラミック粒(1)全体に対して５〜１０重量％であり、
前記消臭用セラミック粒(1)を内部と外部の間で通気可能な容器(20)に収容して消臭器とし、当該消臭器を常態で内部が暗くなる家具の内部に収容して消臭器内の消臭用セラミック粒(1)の前記微細孔に臭気成分を吸着し、微細孔に担持されている酸化触媒(11)の酸化反応によって前記臭気成分を分解する、
家具用消臭器。
【請求項２】
アンモニア、ホルムアルデヒド、イソ吉草酸に対して消臭効果を有するほぼ球形状の消臭用セラミック粒(1)を使用して、常態で内部が暗くなる炬燵の内部にこもる臭気を消臭する家具用消臭器であって、
微細孔を多数有する粒径３〜５ｍｍのセラミック粒(10)の表面の前記微細孔に酸化触媒(11)の微粒子が入るようにして担持されている消臭用セラミック粒(1)が使用され、酸化触媒(11)の担持量は消臭用セラミック粒(1)全体に対して５〜１０重量％であり、
前記消臭用セラミック粒(1)を内部と外部の間で通気可能な容器(20)に収容して消臭器とし、当該消臭器を炬燵(3)の幕板(30)の内側に取り付けて消臭器内の消臭用セラミック粒(1)の前記微細孔に臭気成分を吸着し、微細孔に担持されている酸化触媒(11)の酸化反応によって炬燵の内部にこもる臭気を消臭する、
家具用消臭器。
【請求項３】
消臭用セラミック粒(1)は、撹拌するための容器に、多数のセラミック粒(10)とコロイド状の酸化触媒(11)及び酸化触媒(11)の微粒子が分散しやすいように分散媒であるアルコールが入れられており、容器に入れたセラミック粒(10)、酸化触媒(11)及びアルコールを全体に撹拌し、各セラミック粒(10)の表面にアルコールに分散した酸化触媒(11)の微粒子をほぼ均等になるように付着させ、セラミック粒(10)の表面に無数に存在する微細孔に酸化触媒(11)の微粒子が入り込むようにされており、各セラミック粒(10)の表面に付着または浸透したアルコールを揮発させて酸化触媒(11)の微粒子をセラミック粒(10)に付着または定着させ、酸化触媒(11)の微粒子の担持量を消臭用セラミック粒(1)全体に対し５〜１０重量％としたものである、
請求項１または２記載の家具用消臭器。
【考案の詳細な説明】
【技術分野】
【０００１】
本考案は、消臭用セラミック粒を使用した家具用消臭器に関するものである。更に詳しくは、多孔質体であるセラミック粒の微細孔に吸着された臭気成分を酸化触媒によって効率的に分解して消臭することにより、多孔質体の微細孔に臭気成分が蓄積することによる消臭作用の低下または飽和を防止し、消臭効果に即効性があり、その効果を長期間維持できるようにしたものに関する。
【背景技術】
【０００２】
セラミックなどの多孔質体には、表面の微細孔に臭気成分を物理的に吸着して消臭する作用があり、この機能を利用した消臭器は従来より様々なものが提案されている（特許文献１など参照）。
【０００３】
【特許文献１】特開平１１−３３２９６７号公報
【考案の開示】
【考案が解決しようとする課題】
【０００４】
しかし、このような方法による消臭は、即効性には優れるが、臭気成分が微細孔に吸着され蓄積されると、吸着作用が低下または飽和して消臭効果が長続きせず、消臭力の再生も困難である。また、再生ができるものであっても、それを行うためには、例えば長時間水に漬けて臭気成分を出したあと更に長時間をかけて十分に乾燥させるなど大変な手間がかかる。
【０００５】
また、近年では、このような問題がない酸化触媒を使用した消臭方法が注目されている。酸化触媒によれば、臭気成分は酸化反応によって二酸化炭素や窒素等に分解され、臭気成分が蓄積されることもない。しかしながら、酸化触媒は臭気成分の吸着作用に乏しいので、消臭効果の即効性はない。
【０００６】
（本考案の目的）
本考案の目的は、多孔質体であるセラミック粒の微細孔に吸着された臭気成分を酸化触媒によって効率的に分解して消臭することにより、多孔質体の微細孔に臭気成分が蓄積することによる消臭作用の低下または飽和を防止し、消臭効果に即効性があり、その効果を長期間維持できるようにした消臭用セラミック粒を使用した家具用消臭器を提供することである。
【課題を解決するための手段】
【０００７】
上記課題を解決するために本考案が講じた手段は次のとおりである。
【０００８】
本考案は、アンモニア、ホルムアルデヒド、イソ吉草酸に対して消臭効果を有するほぼ球形状の消臭用セラミック粒(1)を使用して、常態で内部が暗くなる家具の内部にこもる臭気を消臭する家具用消臭器であって、微細孔を多数有する粒径３〜５ｍｍのセラミック粒(10)の表面の前記微細孔に酸化触媒(11)の微粒子が入るようにして担持されている消臭用セラミック粒(1)が使用され、酸化触媒(11)の担持量は消臭用セラミック粒(1)全体に対して５〜１０重量％であり、前記消臭用セラミック粒(1)を内部と外部の間で通気可能な容器(20)に収容して消臭器とし、当該消臭器を常態で内部が暗くなる家具の内部に収容して消臭器内の消臭用セラミック粒(1)の前記微細孔に臭気成分を吸着し、微細孔に担持されている酸化触媒(11)の酸化反応によって前記臭気成分を分解する、家具用消臭器である。
【０００９】
本考案は、アンモニア、ホルムアルデヒド、イソ吉草酸に対して消臭効果を有するほぼ球形状の消臭用セラミック粒(1)を使用して、常態で内部が暗くなる炬燵の内部にこもる臭気を消臭する家具用消臭器であって、微細孔を多数有する粒径３〜５ｍｍのセラミック粒(10)の表面の前記微細孔に酸化触媒(11)の微粒子が入るようにして担持されている消臭用セラミック粒(1)が使用され、酸化触媒(11)の担持量は消臭用セラミック粒(1)全体に対して５〜１０重量％であり、前記消臭用セラミック粒(1)を内部と外部の間で通気可能な容器(20)に収容して消臭器とし、当該消臭器を炬燵(3)の幕板(30)の内側に取り付けて消臭器内の消臭用セラミック粒(1)の前記微細孔に臭気成分を吸着し、微細孔に担持されている酸化触媒(11)の酸化反応によって炬燵の内部にこもる臭気を消臭する、家具用消臭器である。
【００１０】
本考案に係る家具用消臭器は、消臭用セラミック粒(1)は、撹拌するための容器に、多数のセラミック粒(10)とコロイド状の酸化触媒(11)及び酸化触媒(11)の微粒子が分散しやすいように分散媒であるアルコールが入れられており、容器に入れたセラミック粒(10)、酸化触媒(11)及びアルコールを全体に撹拌し、各セラミック粒(10)の表面にアルコールに分散した酸化触媒(11)の微粒子をほぼ均等になるように付着させ、セラミック粒(10)の表面に無数に存在する微細孔に酸化触媒(11)の微粒子が入り込むようにされており、各セラミック粒(10)の表面に付着または浸透したアルコールを揮発させて酸化触媒(11)の微粒子をセラミック粒(10)に付着または定着させ、酸化触媒(11)の微粒子の担持量を消臭用セラミック粒(1)全体に対し５〜１０重量％としたものであるものであるのがより好ましい。
【００１１】
（作  用）
本考案に係る消臭用セラミック粒及びそれを使用した家具用消臭器の作用を説明する。
なお、ここでは、説明で使用する各構成要件のそれぞれに、後述する実施の形態において各部に付与した符号を対応させて付与するが、この符号は、実用新案登録請求の範囲の各請求項に記載した符号と同様に、あくまで説明の理解を容易にするためであって、各構成要件の意味を上記各部に限定するものではない。
【００１２】
本考案に係る消臭用セラミック粒(1)は、多孔質体であるセラミック粒(10)の多数の微細孔に吸着された臭気成分を、微細孔に入っている酸化触媒(11)の微粒子によって酸化反応により分解して消臭することができる。臭気成分は酸化反応によって二酸化炭素や窒素などに分解されるので、吸着された微細孔に蓄積されない。
これによって、多孔質体の微細孔に臭気成分が蓄積することによる消臭作用の低下または飽和を防止することができるので、微細孔による吸着作用と相まって消臭効果に即効性があり、その効果を長期間（理論的には半永久的に）維持することができる。
【００１３】
また、消臭用セラミック粒(1)は粒状であるので、例えば多数の粒で消臭材を構成すれば、粒をより径小（例えば粒径３〜５ｍｍ）に形成することによって、シート状のものなどに比べて、同じ重さ或いは同じ大きさ当たりの表面積（微細孔内の表面積を含む）をより大きくしやすい。なお、セラミック粒(10)の粒径が３ｍｍに満たないと製造コストが上がり製品の価格に少なからず影響を与えることとなり、セラミック粒(10)の粒径が５ｍｍを超えると上記表面積を大きくする点で不利になる傾向がある。
このように、消臭材としての表面積を大きくすることによって、臭気成分を含む空気との接触面積も大きくなり、より効果的な消臭を行うことができる。
【００１４】
本考案に係る消臭用セラミック粒(1)に使用されるセラミック粒(10)は、吸水率４０〜７０重量％の吸水性（吸液性）または吸湿性を有するものであるのがより好ましい。
このように、セラミック粒(10)自体が良好な吸水性または吸湿性を有することによって、酸化触媒(11)の微粒子を、該微粒子を含む液（コロイド液など）への浸漬、該液の塗布または吹き付けによって担持する作業を効率的に行うことができる。すなわち、製造時において、セラミック粒(10)に上記微粒子を含む液が速やかに、かつ量的にも多く含まれることにより、微細孔に入る酸化触媒(11)の微粒子もより多くなる。
【００１５】
本考案に係る消臭用セラミック粒(1)は、酸化触媒(11)の消臭用セラミック粒(1)全体に対しての担持量が５〜１０重量％であるのがより好ましい。
酸化触媒(11)の消臭用セラミック粒(1)全体に対しての担持量を５〜１０重量％とすることにより、消臭用セラミック粒(1)の消臭効果及び使用の利便性（使い勝手）は、双方が両立できる良好なバランスとなる。
【００１６】
すなわち、酸化触媒(11)の担持量が５重量％に満たない場合は、セラミック粒(10)の表面に付着または表面の微細孔に入るアトミーボール(11)の微粒子が量的に少なくなるので、製品として要求される消臭力を十分に発揮できない傾向がある。
また、酸化触媒(11)の担持量が１０重量％を超える場合は、セラミック粒(10)の表面に付着または表面の微細孔に入る酸化触媒(11)の微粒子が量的に多くなる。
【００１７】
これにより、酸化触媒(11)の微粒子で微細孔の孔口を塞いでしまうと、微細孔によって臭気成分を一旦吸着する作用がなくなり、即効性がなくなって消臭力を十分に発揮できない傾向がある。また、この場合は、セラミック粒(10)に担持された酸化触媒(11)の微粒子が多すぎて、消臭用セラミック粒(1)同士が接触することなどにより微粒子が剥がれて周りを汚してしまう傾向もある。
酸化触媒(11)の消臭用セラミック粒(1)全体に対しての担持量を５〜１０重量％とすることにより、上記各問題となる傾向を抑えることができ、消臭効果及び使用の利便性を両立できる良好なバランスとなる。
【００１８】
なお、酸化触媒(11)の酸化反応により消臭できる臭気としては、例えばアンモニアや硫化水素などの一般的悪臭、ノネナール（加齢臭）やイソ吉草酸などの体臭、ホルムアルデヒドなどの建材から出る臭気であるが、酸化触媒は他の臭気成分に対しても良好な消臭効果がある。
【００１９】
また、上記各請求項記載の消臭用セラミック粒(1)が、該消臭用セラミック粒(1)が外部へ漏れないようにして容器(20)に収容してあり、該容器(20)は内部と外部の間で通気可能であり、上記消臭用セラミック粒(1)を収容した後に収容部を塞ぐ部材(23a)は、取り付け後は取り外すことができないよう構成されている家具用消臭器(2)は、例えば炬燵、箪笥、食器棚、下駄箱（シューズボックス）などの各種家具の内部に収容するなどして使用することにより、これら家具の内部にこもる臭気を消臭して快適に使用することができるようになる。
【００２０】
更には、収容部を塞ぐ部材(23a)は、一旦取り付けた後は取り外すことができないので、消臭器(2)を過って取り落としたりショックを与えたような場合でも、簡単に外れることはなく、収容されている消臭用セラミック粒が容器から飛び出して散らかるようなことはない。
【考案の効果】
【００２１】
（ａ）本考案に係る消臭用セラミック粒は、多孔質体であるセラミック粒の多数の微細孔に吸着された臭気成分を、微細孔に入っている酸化触媒の微粒子によって酸化反応により分解して消臭することができる。臭気成分は酸化反応によって二酸化炭素や窒素などに分解されるので、吸着された微細孔に蓄積されない。これによって、多孔質体の微細孔に臭気成分が蓄積することによる消臭作用の低下または飽和を防止することができるので、微細孔による吸着作用と相まって消臭効果に即効性があり、その効果を長期間維持することができる。
また、消臭用セラミック粒は粒状であるので、多数の粒で消臭材を構成すれば、粒をより径小に形成することによって、例えばシート状のものなどに比べて、同じ重さ或いは同じ大きさ当たりの表面積をより大きくしやすい。このように、消臭材としての表面積を大きくすることによって、臭気成分を含む空気との接触面積も大きくなり、より効果的な消臭を行うことができる。
【００２２】
（ｂ）セラミック粒が吸水率４０〜７０重量％の吸水性または吸湿性を有するものであるものは、セラミック粒自体が良好な吸水性または吸湿性を有することによって、酸化触媒の微粒子を、該微粒子を含む液への浸漬、該液の塗布または吹き付けによって担持する作業を効率的に行うことができする。すなわち、製造時において、セラミック粒に上記微粒子を含む液が速やかに、かつ量的にも多く含まれることにより、微細孔に入る酸化触媒の微粒子もより多くなるので、消臭効果がより高くなる。
【００２３】
（ｃ）酸化触媒の消臭用セラミック粒全体に対しての担持量が５〜１０重量％であるものは、消臭用セラミック粒の消臭効果及び使用の利便性の双方が両立できる良好なバランスとなり、製品としての機能性が高くなる。
【００２４】
（ｄ）本考案に係る家具用消臭器は、例えば炬燵、箪笥、食器棚、下駄箱などの各種家具の内部に収容するなどして使用することにより、これら家具の内部にこもる臭気を消臭して快適に使用することができるようになる。また、収容部を塞ぐ部材が一旦取り付けた後は取り外すことができないので、消臭器を過って取り落としたりショックを与えたような場合でも簡単に外れることはなく、収容されている消臭用セラミック粒が容器から飛び出して散らかるようなことはない。また、子供のいたずらで散らかることも防止できる。
【考案を実施するための最良の形態】
【００２５】
本考案を図に示した実施例に基づき詳細に説明する。
【実施例】
【００２６】
図１は本考案に係る消臭用セラミック粒の断面説明図、
図２は消臭用セラミック粒表面の説明図で、（ａ）はアトミーボールの担持前、（ｂ）は担持後の拡大説明図である。
【００２７】
消臭用セラミック粒１は、ほぼ球形状であり、直径が約４ｍｍになるようにつくられている。消臭用セラミック粒１は、ゼオライトと粘土を所要割合で配合し混合したものを焼成して造粒したセラミック粒１０を有している。セラミック粒１０は、表面に連続した微細孔（または微細な隙間）を有する多孔質体であり、吸水率が５０重量％のものを使用した。なお、セラミック粒１０の原料は、上記のようなゼオライトと粘土に限定されるものではなく、焼成によって多孔質のセラミックとなるものであれば、他の原料を使用することもできる。
【００２８】
セラミック粒１０の表面には、酸化触媒であるアトミーボール１１の微粒子が担持されている。アトミーボール（ATOMY BALL：商標名：触媒化成株式会社）は、抗菌機能、殺菌機能、消臭機能などを有する銀系のコロイド状無機剤（水分散タイプ）である。
この微粒子が担持されている量は、消臭用セラミック粒１全体に対して約１０重量％である。アトミーボール１１の微粒子（コロイド粒子）は、セラミック粒１０の表面に無数に存在する微細孔（符号省略）に入り込んでいる（図２参照）。これにより、微細孔に吸着される臭気成分（臭気物質）をその近くに存在するアトミーボール１１の微粒子によって効率的に分解して消臭することができる。
【００２９】
ここで、消臭用セラミック粒１の製造方法の一例を説明する。
（１）撹拌するための容器に、合計１００ｇの多数のセラミック粒１０と１２ｇのアトミーボール１１（コロイド状）を入れ、更にアトミーボール１１の微粒子が分散しやすいようにするため、５０ｍｌ（量は適宜調節可能）の分散媒であるアルコールを入れた。なお、分散媒としては、アルコールの他、水など他のものを使用することもできる。
【００３０】
（２）容器（図示省略）に入れたセラミック粒１０、アトミーボール１１及びアルコールを全体に撹拌し、各セラミック粒１０の表面にアルコールに分散したアトミーボール１１の微粒子をほぼ均等になるように付着させた。なお、セラミック粒１０の吸水率は５０重量％であり、吸水率が高いので、上記アトミーボール１１の微粒子が分散したアルコールはセラミック粒１０に速やかに吸収された。これによって、セラミック粒１０の表面に無数に存在する微細孔にアトミーボール１１の微粒子が入り込んだ。
【００３１】
（３）各セラミック粒１０の表面に付着、または浸透したアルコールを揮発させると、アトミーボール１１の微粒子はセラミック粒１０に付着または定着した。これによって、アトミーボール１１の微粒子の担持量が、消臭用セラミック粒１全体に対し、約１０重量％である消臭用セラミック粒１を得た。なお、アルコールの揮発は自然放置によって行ってもよいが、温風や熱風を送るなど、公知の各種乾燥手段が採用できる。
【００３２】
（作  用）
本実施の形態に係る消臭用セラミック粒１の作用を説明する。
消臭用セラミック粒１は、セラミック粒１０の多数の微細孔に吸着された臭気成分を、微細孔に入っているアトミーボール１１の微粒子によって酸化反応により分解して消臭することができる。臭気成分は酸化反応によって二酸化炭素や窒素などに分解され、吸着された微細孔に蓄積されないので、消臭作用の低下または飽和を防止することができる。このように、消臭用セラミック粒１には微細孔による吸着作用と相まって消臭効果に即効性があり、しかもその効果を長期間維持することができる。
【００３３】
また、消臭用セラミック粒１は粒径約４ｍｍの粒状であるので、例えばシート状のものなどに比べて、同じ重さ或いは同じ大きさ当たりの表面積（微細孔内の表面積を含む）をより大きくしやすい。このように、消臭材としての表面積を大きくすることによって、臭気成分を含む空気との接触面積も大きくなり、より効果的な消臭を行うことができる。
【００３４】
消臭用セラミック粒１に使用されるセラミック粒１０は、吸水率５０重量％の吸水性（吸液性）を有するので、製造時において、セラミック粒１０にアトミーボール１１の微粒子を含む液が速やかに、かつ量的にも多く含まれる。これにより、微細孔に入るアトミーボール１１の微粒子もより多くなり、より良好な消臭能力を発揮できる。
【００３５】
消臭用セラミック粒１は、アトミーボール１１の消臭用セラミック粒１全体に対しての担持量が約１０重量％であるので、上記のように良好な消臭能力を発揮できると共に、担持量が過剰ではないので、アトミーボール１１の微粒子が消臭用セラミック粒１同士の擦れ合いなどによって剥がれて周囲を汚すようなことはなく、使用の利便性も良好であり、消臭能力と使用の利便性の双方が両立できる良好なバランスとなる。
【００３６】
本実施の形態に係る消臭用セラミック粒１について消臭効果を確認するために実験を行った。実験は次の方法で行った。
【００３７】
（実験方法）
内容量５Ｌのテドラーバッグに、本実施の形態に係る消臭用セラミック粒４０ｇを入れ、臭気成分として３Ｌの実験ガスを注入した。実験ガスは、アンモニア、ホルムアルデヒド、イソ吉草酸の三種類とした。そして、この状態での各実験ガスの０分後（実験開始時）、５分後、２時間後、２４時間後のテドラーバッグ内の実験ガス濃度を測定し、各実験ガスに対する消臭能力を調べた。また、これと併せて空実験（消臭用セラミック粒未使用）を同様の条件で行って比較対象とした。
なお、実験ガスの濃度測定には検知管法を採用し、温度２０℃の室内環境で行った。実験結果を表１に示す。
【００３８】
【表１】
0003145246.tif 000003
【００３９】
表１に示すように、アンモニア、ホルムアルデヒド、イソ吉草酸の各実験ガスの消臭実験において、消臭材として消臭用セラミック粒１を使用した場合、空実験と比較して明らかな消臭効果が認められた。
すなわち、いずれの実験ガスの場合も、実験開始から２時間後には殆ど消臭され、２４時間後には、更に極めて低いレベルまで消臭された。また、特にアンモニアの消臭実験では、実験開始の４０．０(ppm)から、５分後には、二分の一の２０．０(ppm)まで一気に消臭され、消臭効果の即効性が認められた。
【００４０】
図３は本考案に係る家具用消臭器の一部を切り欠いた斜視説明図、
図４は家具用消臭器を炬燵に取り付けた状態の斜視説明図である。
【００４１】
家具用消臭器２は、外形が直方体形状の合成樹脂製の中空容器２０を備えており、その内部には消臭用セラミック粒１を所要量（例えば４０ｇ）収容している。中空容器２０の長辺側かつ狭小側の一方の構成板２１には、やぐら炬燵３の幕板３０の内側に取り付けるための両面テープ２２が設けられている。両面テープ２２は、耐熱温度１２０℃のものを使用した。本実施の形態では、両面テープ２２を使用したが、これに限定するものではなく、面ファスナーなど各種公知の取付手段が採用できる。
【００４２】
中空容器２０のうち、上記構成板２１を除く各構成板２３には、各々ほぼ全面に中空容器２０の内部と外部の間で通気可能な多数の通気孔２４が設けられている。各通気孔２４の口径は、粒径４ｍｍの消臭用セラミック粒１が通過して外部へ漏れることがないように３ｍｍに設定されている。また、上記各構成板２３のうち、短辺側かつ狭小側の構成板２３ａは、消臭用セラミック粒１の収容後に取り付けられ、取り付け後は取り外すことができないよう構成されている（取付構造については公知手段を採用しているので説明を省略する）。
【００４３】
中空容器２０のサイズは、本実施の形態においては、長辺側の長さ（図３で横方向の長さ）１７８ｍｍ、短辺側の長さ（図３で縦方向の長さ）３５ｍｍ、厚さ１７ｍｍに設定されている。なお、本実施の形態で取付対象となっているやぐら炬燵は、幕板や筋交の枠内の長さ（２５０〜３００ｍｍ）や上下方向の幅（４０〜５０ｍｍ）が決められているので、中空容器２０のサイズはそれに収まるよう設定されているが、上記に限定されるものではない。また、下駄箱などの他の家具に取り付けるものは、他の形状及びサイズのものを採用してもよい。
【００４４】
本実施の形態に係る家具用消臭器２をやぐら炬燵３に図４に示すように取り付ければ、やぐら炬燵３の内部にこもる臭気を消臭して快適に使用することができるようになる。
なお、やぐら炬燵３内部には、未使用時の暗い状態及び使用時に赤外線ヒータが点灯している状態でも紫外線は殆どない。ところが、家具用消臭器２の消臭用セラミック粒１は、酸化触媒を担持したものであり酸素があれば反応するので、上記のような条件でも光触媒などとは相違して消臭が可能である。これについては、常態で内部が暗くなる家具についても同様である。
【００４５】
更には、上記したように、中空容器２０を構成する構成板２３ａは、一旦取り付けた後は取り外すことができないので、消臭器を過って取り落としたりショックを与えたような場合でも簡単に外れることはなく、収容されている消臭用セラミック粒が容器から飛び出して散らかるようなことはない。また、子供のいたずらで散らかることも防止できる。
【００４６】
なお、本明細書で使用している用語と表現は、あくまで説明上のものであって限定的なものではなく、上記用語、表現と等価の用語、表現を除外するものではない。また、本考案は図示されている実施の形態に限定されるものではなく、技術思想の範囲内において種々の変形が可能である。
【図面の簡単な説明】
【００４７】
【図１】本考案に係る消臭用セラミック粒の断面説明図。
【図２】消臭用セラミック粒表面の説明図で、（ａ）はアトミーボールの担持前、（ｂ）は担持後の拡大説明図。
【図３】本考案に係る家具用消臭器の一部を切り欠いた斜視説明図。
【図４】家具用消臭器を炬燵に取り付けた状態の斜視説明図。
【符号の説明】
【００４８】
１      消臭用セラミック粒
１０    セラミック粒
１１    アトミーボール
２      家具用消臭器
２０    中空容器
２１    構成板
２２    両面テープ
２３    構成板
２３ａ  構成板
２４    通気孔
３      やぐら炬燵
３０    幕板
【図１】
0003145246.tif 000004
【図３】
0003145246.tif 000005
【図４】
0003145246.tif 000006
【図２】
0003145246.tif 000007